(57)【要約】【課題】無線受信機は自機宛以外の電文でキャリア出力有りと判定した場合、自機宛ての電文でなくても規定のタイムアウト時間が経過しなければ、無線受信動作は停止することができない。そのため、無線受信機に不要な消費電流が発生する。【解決手段】無線通信において受信した電文をチェックして、その電文が他機宛てパターンを含んでいるか否かを判定する他機宛てパターン判定手段Ｅ１０と、他機宛てパターン判定手段Ｅ１０による判定結果が他機宛てを示すときは無線電源を省電力制御する無線電源制御手段Ｅ２０とを備える。【選択図】図１
2011199803.tif 000002
【特許請求の範囲】
【請求項１】
無線通信において受信した電文をチェックして、その電文が他機宛てパターンを含んでいるか否かを判定する他機宛てパターン判定手段と、
前記他機宛てパターン判定手段による判定結果が他機宛てを示すときは無線電源を省電力制御する無線電源制御手段とを備えた無線受信起動制御装置。
【請求項２】
さらに、無線通信状況において他機宛てパターンを収集し、収集した他機宛てパターンを前記他機宛てパターン判定手段に設定するための手段として、
無線通信において受信した電文をチェックして、自機宛てパターンが検出されない状態で検出したパターンを他機宛てパターンとして抽出する他機宛てパターン抽出手段と、
前記他機宛てパターン抽出手段によって抽出された他機宛てパターンを前記他機宛てパターン判定手段に設定する他機宛てパターン設定手段とを備えている請求項１に記載の無線受信起動制御装置。
【請求項３】
前記他機宛てパターン抽出手段は、受信データにおけるビット同期パターンとフレームパターンとの境界を検出する機能をもつフレーム同期境界検出手段として構成され、このフレーム同期境界検出手段は、ビット同期パターン終了後の電文を他機宛てパターンとして前記他機宛てパターン設定手段に送出するように構成されている請求項２に記載の無線受信起動制御装置。
【請求項４】
前記他機宛てパターン設定手段は、前記他機宛てパターン抽出手段（フレーム同期境界検出手段）から送出される他機宛てパターンを集計し、他機宛て検出用に他機宛てパターンを前記他機宛てパターン判定手段に送出するように構成され、
前記他機宛てパターン判定手段は、前記他機宛てパターン設定手段Ｅ１２から送出される他機宛てパターンを用いて他機宛て判定を行うように構成されている請求項２または請求項３に記載の無線受信起動制御装置。
【請求項５】
通信形態が特定小電力無線とされている請求項１から請求項４までのいずれか１項に記載の無線受信起動制御装置。
【請求項６】
無線通信において受信した電文をチェックして、その電文が他機宛てパターンを含んでいるか否かを判定する他機宛てパターン判定手段と、
前記他機宛てパターン判定手段による判定結果が他機宛てを示すときは無線電源を省電力制御する無線電源制御手段とを備えた無線受信機用のマイクロコンピュータ。
【請求項７】
１台または複数台の送信機と、１台または複数台の受信機とで構成され、
前記送信機は、センサ機能を有し、そのセンサ機能が動作した場合に前記無線受信機に向けて警報信号を送信するように構成され、
前記無線受信機は、請求項１から請求項５までのいずれか１項に記載の無線受信機であって、さらに警報機能を有し、前記送信機からの警報信号を受信したときに警報機能を動作させるように構成されているワイヤレス住宅警報機システム。
【請求項８】
１台または複数台の送信機と無線受信機とで構成され、
前記送信機は、検針機能を有し、その検針機能が動作した場合に前記無線受信機に向けて検針情報信号を送信するように構成され、
前記無線受信機は、請求項１から請求項５までのいずれか１項に記載の無線受信機であって、さらに検針情報収集機能を有し、前記送信機からの検針情報信号を受信したときに検針情報収集機能を動作させて送信機毎の検針情報を収集するように構成されている自動検針システム。
【請求項９】
送信機と無線受信機で構成され、
前記送信機は、インターフェースを操作することで無線送信要求を発生する機能を有し、その送信要求発生機能が動作した場合に前記無線受信機に向けて開錠信号または施錠信号を送信するものとして構成され、
前記無線受信機は、請求項１から請求項５までのいずれか１項に記載の無線受信機であって、さらに開錠および施錠の機能を有し、前記送信機からの開錠信号または施錠信号を受信したときに開錠または施錠の機能を動作させるように構成されているエントリーシステム。
【請求項１０】
前記送信機は自動車鍵に装着され、前記無線受信機は自動車に装着され、前記自動車のドア錠の開閉を制御する請求項９に記載のエントリーシステム。
【発明の詳細な説明】
【技術分野】
【０００１】
本発明は、無線受信機の起動制御に用いられる無線受信起動制御装置にかかわり、詳しくは無線受信制御の低消費電力化を図るための技術に関する。また、無線受信機に使用するマイクロコンピュータおよびそれの応用システム（ワイヤレス住宅警報機システム、自動検針システム、エントリーシステム）に関する。
【背景技術】
【０００２】
近年、その利便性により無線通信機能を使ったセット商品が数多く登場している。中でも、携帯性の観点から電池を駆動電源として動作するものが要望され、低消費電力を特徴とした商品が増加している。特にワイヤレス住宅警報機のような長期間メンテナンスフリーで動作することを目的とする製品では、電池で１０年間以上動作することを前提としており、低消費電力化を早急に実現することが望まれている。
【０００３】
以下、従来の無線受信機について図を用いて説明する。図８は従来技術における無線受信機の構成を示すブロック図である。
【０００４】
無線受信機１００において、無線受信アンテナ部１で受信した信号は電波復調部２によりデジタル信号に復調され、受信データバッファ４へ格納される。電波復調部２でアナログ信号をデジタル信号へ復調する際に、キャリア出力検出部３を用いて無線受信アンテナ部１で受信した電波の強さ（電界強度）を計測し、その結果を無線通信機能制御部８のキャリア出力有無判定手段９へ通知する。キャリア出力有無判定手段９は、キャリア出力検出部３より受けた電界強度と仕様により設定されている閾値を基にキャリアセンス処理を実施する。このとき、受信電界強度が閾値未満であれば受信しようとする周波数帯には電波がないと判断され、消費電力削減のため無線電源制御手段１２により電力供給が遮断される。一方、受信電界強度が閾値以上であれば受信しようとする周波数帯に電波があると判断され、無線電源制御手段１２では電力供給が継続され、自機宛てパターン比較手段６の動作が開始される。
【０００５】
自機宛てパターン比較手段６は、動作が開始されると、あらかじめ無線通信機能制御部８で定義された比較データの自機宛てパターンを持つ自機宛てパターンバッファ５と受信データバッファ４のフレームパターンとの比較を行う。このとき、自機宛てパターンバッファ５の内容と受信データバッファ４の内容が一致した場合は、無線通信機能制御部８にパターンが一致したことを通知する。
【０００６】
無線通信機能制御部８は受信データに含まれるフレームパターンと定義された自機宛てパターンが一致したことを通知されると、次ビット以降からのデータを本データとして受信する。その結果、受信データバッファ４に格納されているデータを確定受信データ転送部７より無線通信機能制御部８へ転送し始める。
【０００７】
ところが、無線受信機１００が受信しようとする周波数帯には、そもそも送信データではない、いわゆるノイズが必ず存在する。ノイズが存在する場合、キャリア出力検出部３は受信しようとする周波数帯に電波ありと誤判定してしまう（誤センス）。このとき自機宛てパターン比較手段６は比較動作を開始しデータの精査を行うが、もちろん誤センスであるためにフレームパターンが一致することはない。
【０００８】
こういったケースを想定し、無駄な比較処理を停止するために、一定時間（タイムアウト時間）経過後に受信処理動作を停止する方法が用意されている。ただし、誤センスされてからタイムアウト時間を経過するまでの間は電力供給がなされ、無駄な電力を消費してしまう。
【０００９】
そこで、送信機から送出する送信データの一部に次回実施する予定の通信までの時間を記述しておき、無線受信機１００がそのデータを受信すると、間欠受信周期制御手段１１に次回実施する予定の通信時間を適用する方式がある。それにより、キャリア出力検出部３を用いて実施するキャリアセンス周期を送信機が制御することで、誤センスの可能性を極力削減する。これにより、効率の良い通信を実現し、タイムアウト時間を待っている間に発生する消費電流を削減する。このような送信方法は例えば特許文献１に記載されている。
【先行技術文献】
【特許文献】
【００１０】
【特許文献１】特開２００６−３２５０５５号公報
【発明の概要】
【発明が解決しようとする課題】
【００１１】
従来の技術では、上記の通り消費電力の削減を目指しているが、これは送信機１台、受信機１台のシステム（１：１通信）のみで、送信機１台、受信機が複数台(１：Ｎ通信)および送信機が複数台、受信機が複数台(Ｎ：Ｎ通信)のようなシステムでは効果を発揮できない。送信機が複数台存在する場合は、送信機間でも次回送信する時間を伝え合い、送信機同士でタイミングを取る必要がある。また、送信機が１台であっても、現実には特許文献１に記載のような技術を搭載していない別システムの送信機も多数存在し、結局は、誤センスによる消費電流の増加は避けられない。
【００１２】
本発明は、このような事情に鑑みて創作したものであり、無線電源を省電力制御するに至るまでの時間を短縮して、省電力の効果を高められる無線受信起動制御装置を提供することを目的としている。
【課題を解決するための手段】
【００１３】
《１》無線受信起動制御装置についての本発明は、上記の課題を解決するために次の手段を講じる。理解を容易にするため、図１を参照しながら説明することとする（ただし、本発明は同図によって制限を受けるものではない）。
【００１４】
無線通信において受信した電文をチェックして、その電文が他機宛てパターンを含んでいるか否かを積極的に判定することとする。この判定の手段として他機宛てパターン判定手段Ｅ１０を設ける。ここでは、他機宛てパターンがどのようなものであるかについてはあらかじめ分かっており、その既知の他機宛てパターンが他機宛てパターン判定手段Ｅ１０に登録されているものとする。他機宛てパターン判定手段Ｅ１０は、別途の手段により自機宛てであることの検出確認を待っている間に、積極的に他機宛てか否かを検査しているわけである。自機宛てであることの検出確認をただ単に待っているだけの場合よりも早期に、自機宛てであるか他機宛てであるかが判明する。他機宛てであることが判明すれば、それは即、自機宛てでないことを意味し、そうであれば直ちに無線電源を省電力制御すればよい。なお、他機宛てであることが判明しないうちは、自機宛てか他機宛てかは未確定であるが、別途の手段により自機宛てであることが判明するに至れば、それは即、他機宛てでないことを意味し、自機宛てであるので無線電源は給電状態を継続すればよい。無線電源を省電力制御する手段として無線電源制御手段Ｅ２０を設ける。この無線電源制御手段Ｅ２０は、他機宛てパターン判定手段Ｅ１０による判定結果が他機宛てを示すときは直ちに無線電源を省電力制御するものである。なお、この無線電源制御手段Ｅ２０は、キャリアセンスが否定的のときも無線電源を省電力制御するものであってよい。
【００１５】
なお、自機宛てをチェックする手段については、本発明自体はこれは必ずしも必須要件とはしないでもよい。
【００１６】
以上を要するに、本発明の無線受信起動制御装置は、
無線通信において受信した電文をチェックして、その電文が他機宛てパターンを含んでいるか否かを判定する他機宛てパターン判定手段Ｅ１０と、
他機宛てパターン判定手段Ｅ１０による判定結果が他機宛てを示すときは無線電源を省電力制御する無線電源制御手段Ｅ２０とを備えたものである。
【００１７】
この構成においては、他機宛てパターン判定手段Ｅ１０は、無線通信で受信した電文を受け取って、その受信電文に他機宛てパターンが含まれていることに関して積極的に検査する手段である。他機宛てパターン判定手段Ｅ１０による判定で受信電文が他機宛てパターンを含んでいることが確認されれば、その旨を無線電源制御手段Ｅ２０に伝える。その知らせを受けた無線電源制御手段Ｅ２０は、直ちに無線電源を省電力制御する。すなわち、タイムアウト処理を待たずに受信処理動作を停止することが可能となる。
【００１８】
ここで、自機宛てパターン比較手段は有しているが他機宛てパターン判定手段Ｅ１０がない構成の無線受信機を考える（従来技術相当）。自機宛てパターン比較手段は、受信電文に自機宛てパターンが含まれているか否かをチェックするものであるが、このことの判定にはかなりの時間がかかる。周辺の空間には種々様々な形態の電波が飛び交っており、そのうち本機宛てのものはあってもわずかである。したがって、自機宛てパターンが含まれている無線通信の平均的確率は低い。低いゆえに、自機宛てパターンが含まれているかの判定に時間がかかる。
【００１９】
これに対して本発明では、他機宛てパターンを積極的に検出しようとする他機宛てパターン判定手段Ｅ１０を設けたので、他機宛てパターンを含む電文すなわち他機宛て電文の検出が早期化され、無線電源を省電力制御するに至るまでの時間が短縮されるために、省電力の効果が高いものとなる。
【発明の効果】
【００２０】
本発明によれば、他機宛てパターン判定手段を設けて他機宛てパターンを積極的に検出するように構成したので、他機宛てパターンを含む電文すなわち他機宛て電文の検出が早期化され、無線電源を省電力制御するに至るまでの時間が短縮されることとなり、省電力効果を高めることができる。
【図面の簡単な説明】
【００２１】
【図１】本発明の無線受信起動制御装置の基本的な構成を示すブロック図
【図２】本発明の実施例１における無線受信起動制御装置を備えた無線受信機の構成を示すブロック図
【図３】本発明の実施例における送受信データの構成図
【図４】本発明の実施例１における無線受信機の動作を示すフローチャート
【図５】本発明の実施例１における無線受信機の動作を示すタイミングチャート
【図６】本発明の実施例２におけるワイヤレス住宅警報機システムの構成を示すブロック図（その１）
【図７】本発明の実施例２におけるワイヤレス住宅警報機システムの構成を示すブロック図（その２）
【図８】従来技術における無線受信機の構成を示すブロック図
【発明を実施するための形態】
【００２２】
上記した《１》の構成の本発明の無線受信起動制御装置は、次のような実施の形態においてさらに有利に展開することが可能である。
【００２３】
《２》上記《１》の構成をより具体的レベルで検討する。他機宛てパターンがどのようなパターンであるかがあらかじめ分かっていればよいのだが、必ずしもそうはならない。上記《１》の場合は既知の他機宛てパターンが他機宛てパターン判定手段Ｅ１０にあらかじめ設定されていることを想定している。本項《２》では、他機宛てパターンとして未知のパターンを対象とする場合を想定する。
【００２４】
そこで、実使用時に実際の無線通信状況において他機宛てパターンを収集し、その収集した他機宛てパターンを他機宛てパターン判定手段Ｅ１０に設定することとする。そのための手段として、他機宛てパターンを収集して設定する手段を設ける。この手段は、無線通信において受信した電文をチェックして、自機宛てパターンが検出されない状態で検出したパターンを他機宛てパターンとして抽出する他機宛てパターン抽出手段Ｅ１１と、この他機宛てパターン抽出手段Ｅ１１によって抽出された他機宛てパターンを他機宛てパターン判定手段Ｅ１０に設定する他機宛てパターン設定手段Ｅ１２とを備えたものとして構成されている（図１参照）。
【００２５】
このように構成すれば、他機宛てパターンがあらかじめどのようなものか分かっていなくても、その場で実際の無線通信環境の中で、自機が捉えた電波から他機宛てパターンを取り込み、取り込んだ他機宛てパターンを省電力制御に有効利用することが可能となる。
【００２６】
要するに本項は、上記《１》の構成において、さらに、無線通信状況において他機宛てパターンを収集し、収集した他機宛てパターンを他機宛てパターン判定手段Ｅ１０に設定するための手段として、
無線通信において受信した電文をチェックして、自機宛てパターンが検出されない状態で検出したパターンを他機宛てパターンとして抽出する他機宛てパターン抽出手段Ｅ１１と、
他機宛てパターン抽出手段Ｅ１１によって抽出された他機宛てパターンを他機宛てパターン判定手段Ｅ１０に設定する他機宛てパターン設定手段Ｅ１２とを備えた構成としている。
【００２７】
自機宛てパターンが検出されない状態で検出し収集したパターンを他機宛てパターンとして保持することが可能となる。すなわち、他の無線受信機宛ての電文から他機宛てパターンを動的に捕捉することで、以後、誤センスにより受信を開始した場合であっても、即座に他機宛ての電文であることを判定することが可能となり、タイムアウト処理を待たずに受信処理動作を停止することが可能となる。
【００２８】
《３》上記《２》の構成における他機宛てパターン抽出手段Ｅ１１について検討する。本項では、他機宛てパターン抽出手段Ｅ１１が、受信データにおけるビット同期パターンとフレームパターンとの境界を検出する機能をもつフレーム同期境界検出手段として構成されている。このフレーム同期境界検出手段は、ビット同期パターン終了後の電文を他機宛てパターンとして他機宛てパターン設定手段Ｅ１２に送出するように構成されている。
【００２９】
このように構成すれば、各システムによりユニークに貸与されるフレームパターンを他機宛てパターンとして収集し保持することが可能となる。
【００３０】
《４》上記《２》，《３》の構成における他機宛てパターン設定手段Ｅ１２について検討する。本項では、他機宛てパターン設定手段Ｅ１２は、他機宛てパターン抽出手段（フレーム同期境界検出手段）Ｅ１１から送出される他機宛てパターンを集計し、他機宛て検出用に他機宛てパターンを他機宛てパターン判定手段Ｅ１０に送出するように構成されている。また、他機宛てパターン判定手段Ｅ１０は、他機宛てパターン設定手段Ｅ１２から送出される他機宛てパターンを用いて他機宛て判定を行うように構成されている。
【００３１】
このように構成すれば、各システムでユニークなフレームパターンが他機宛てパターンとして集計される。さらに、他機宛てパターンとして他機宛て判定に用いられる。その結果、《１》と同様に、他機宛て電文の検出が早期化され、無線電源を省電力制御するに至るまでの時間が短縮されるために、省電力の効果が高いものとなる。
【００３２】
《５》上記《１》〜《４》の構成において、その無線形態を特定小電力無線とすることが考えられる。特定小電力無線を採用すれば、消費電力の削減効果をさらに進めることが可能になり、特に電池駆動で動作するシステムに有利となる。
【００３３】
《６》上記の無線受信起動制御装置に関連して、無線受信機用のマイクロコンピュータとしての展開がある。それは、無線通信において受信した電文をチェックして、その電文が他機宛てパターンを含んでいるか否かを判定する他機宛てパターン判定手段Ｅ１０と、他機宛てパターン判定手段Ｅ１０による判定結果が他機宛てを示すときは無線電源を省電力制御する無線電源制御手段Ｅ２０とを備えたマイクロコンピュータである。無線受信機能をマイクロコンピュータにもたせることにより、機器の小型化、低消費電力化が実現される。
【００３４】
《７》また上記の無線受信起動制御装置に関連して、ワイヤレス住宅警報機システムとしての展開がある。それは、１台または複数台の送信機と、１台または複数台の受信機とで構成されるワイヤレス住宅警報機システムである。ここでは、送信機はセンサ機能を有し、そのセンサ機能が動作した場合に無線受信機に向けて警報信号を送信するように構成されている。無線受信機は上記《１》〜《５》のいずれかの無線受信機であって、さらに警報機能を有し、送信機からの警報信号を受信したときに警報機能を動作させるように構成されている。このように構成すれば、ワイヤレス住宅警報機システムにおいて、無線受信機の電池寿命が長くなり、信頼性の高いシステムを構築することが可能になる。
【００３５】
《８》また上記の無線受信起動制御装置に関連して、電気メータ、ガスメータまたは水道メータの自動検針システムとしての展開がある。それは、１台または複数台の送信機と無線受信機とで構成される自動検針システムである。ここでは、送信機は検針機能を有し、その検針機能が動作した場合に無線受信機に向けて検針情報信号を送信するように構成されている。無線受信機は上記《１》〜《５》のいずれかの無線受信機であって、さらに検針情報収集機能を有し、送信機からの検針情報信号を受信したときに検針情報収集機能を動作させて送信機毎の検針情報を収集するように構成されている。このように構成すれば、自動検針システムにおいて、無線受信機の電池寿命が長くなり、信頼性の高いシステムを構築することが可能になる。
【００３６】
《９》また上記の無線受信起動制御装置に関連して、エントリーシステムとしての展開がある。それは、送信機と無線受信機とで構成されるエントリーシステムである。ここでは、送信機は、インターフェースを操作することで無線送信要求を発生する機能を有し、その送信要求発生機能が動作した場合に無線受信機に向けて開錠信号または施錠信号を送信するものとして構成されている。無線受信機は上記《１》〜《５》のいずれかの無線受信機であって、さらに開錠および施錠の機能を有し、送信機からの開錠信号または施錠信号を受信したときに開錠または施錠の機能を動作させるように構成されている。このように構成すれば、エントリーシステムにおいて、無線受信機の電池寿命が長くなり、信頼性の高いシステムを構築することが可能になる。
【００３７】
《１０》上記《９》の構成のエントリーシステムとして好ましいものに、送信機が自動車鍵に装着され、無線受信機が自動車に装着され、自動車のドア錠の開閉を制御するように構成されているものがある。
【実施例】
【００３８】
以下、本発明の無線受信起動制御装置を備えた無線受信機の実施例について図面を参照しながら説明する。なお、実施例において同じ符号を付した構成要素は同様の動作を行うので、再度の説明を省略する場合がある。
【００３９】
（実施例１）
図２は本発明の実施例１における無線受信起動制御装置を備えた無線受信機の構成を示すブロック図である。
【００４０】
無線受信機１００の構成要素として、１は送信電波を受信する無線受信アンテナ部、２は無線受信アンテナ部１で受信した電波をデータに復調する電波復調部、３は受信した電波の強さを計測するキャリア出力検出部、４は復調したデータを格納する受信データバッファ、５は自機宛てパターンバッファ、６は受信データバッファ４に一時的に格納された受信データにおけるフレームパターンと自機宛てパターンバッファ５に格納された自機宛てフレームパターンとを比較判定する自機宛てパターン比較手段、７は自機宛てパターン比較手段６で比較一致と判定された直後からのデータを格納する確定受信データ転送手段、８は無線通信機能制御部である。９はキャリア出力検出部３で計測される電波の強さを判定するキャリア出力有無判定手段、１０は確定受信データ転送手段７から送出されるデータを処理する無線受信データ処理手段、１２はキャリア無し判定やデータ受信が終了したときに無線受信を終了する無線電源制御手段（図１のＥ２０相当）である。また、２１はビット同期パターン以後のデータを他機宛てパターンとして検出するフレーム同期境界検出手段である。このフレーム同期境界検出手段２１は図１の他機宛てパターン抽出手段Ｅ１１の１構成例である。
【００４１】
また、２２はフレーム同期境界検出手段２１で検出された他機宛てパターンを後述の他機宛てパターン設定手段２５経由で格納する他機宛てパターンバッファ、２３は受信データバッファ４に一時的に格納された受信データにおけるフレームパターンと他機宛てパターンバッファ２２に格納された他機宛てパターンとを比較する他機宛てパターン比較手段、２４は他機宛てパターンバッファ２２と他機宛てパターン比較手段２３から構成される他機宛てパターン判定手段（図１のＥ１０相当）である。２５は無線通信機能制御部８における新たな構成要素として、フレーム同期境界検出手段２１から検出された他機宛てパターンを集計し、他機宛てパターンバッファ２２へ送出して設定する他機宛てパターン設定手段（図１のＥ１２相当）である。無線通信機能制御部８は、キャリア出力有無判定手段９、無線受信データ処理手段１０、無線電源制御手段１２および他機宛てパターン設定手段２５を備えている。
【００４２】
なお、他機宛てパターンバッファ２２に格納される他機宛てパターンは１パターンである必要はなく、複数パターンあってそれを順次比較することも可能である。すなわち他機宛てパターン判定手段２４で判定する他機宛て判定パターンは複数個あってよい。
【００４３】
図３は通信で使用するデータの構成を示す。
【００４４】
ここで２種類のデータＤ，Ｄ* を考える。一方のデータＤは当該の無線受信機１００で取り扱い可能なデータである。このデータＤを送信する送信機は、当該の無線受信機１００とともに同一システムに属するものである。もう一方のデータＤ* は当該の無線受信機１００では取り扱い不可能なデータである。このデータＤ* を送信する送信機は、当該の無線受信機１００が属するシステムとは別個のシステムに属するものである。
【００４５】
同一システムにおけるデータＤは、ビット同期パターンＰ１、フレームパターンＰ２、データＰ３から構成されている。同様に、異種システムにおけるデータＤ* は、ビット同期パターンＱ１、フレームパターンＱ２、データＱ３から構成されている。
【００４６】
先頭のビット同期パターンＰ１，Ｑ１は、固定のパターン（例えば「０」、「１」または「１」、「０」を交互に繰り返すデータ）である。このビット同期パターンＰ１，Ｑ１は、無線受信機が以降に続くフレームパターンＰ２，Ｑ２とデータＰ３，Ｑ３を受信するために必要なデータ打ち抜きタイミングの調整や周波数調整に用いられる。ビット同期パターンＰ１，Ｑ１の直後のフレームパターンＰ２，Ｑ２はそれぞれ、データＰ３，Ｑ３の直前に配置されるパターンであり、それぞれがシステム毎にユニークなパターンとなっている。すなわち、フレームパターンＰ２とフレームパターンＱ２とは互いに異なるパターンとなっている。このフレームパターンＰ２，Ｑ２は、その直後がデータＰ３，Ｑ３であることを示す。
【００４７】
データＰ３は、当該の無線受信機１００が実際に必要とするデータである。データＱ３は当該の無線受信機１００が属するシステムとは異なるシステムの無線受信機が実際に必要とするデータである。ここでは、データＤを送信する送信機と無線受信機１００は同一のシステムとして構成されており、また、データＤ* が無線受信機１００と同一の空間内に存在しているものとする。自機宛てパターンバッファ５にはデータＤのフレームパターンＰ２が設定されることになる。
【００４８】
次に、上記のように構成された本実施例の無線受信機１００の動作を図４のフローチャートに従って説明する。
【００４９】
まずステップＳ１において、無線受信アンテナ部１によって無線信号の電波を受信する。
【００５０】
次いでステップＳ２において、無線受信アンテナ部１で受信した電波についてキャリアセンスを実行する。このキャリアセンスは次のように行われる。まず、電波復調部２によって受信信号をデジタルデータに復調する。さらに、キャリア出力検出部３によって電界強度（キャリア）を計測する。計測した電界強度は無線通信機能制御部８内にあるキャリア出力有無判定手段９に送られる。キャリア出力有無判定手段９では、受信電波の電界強度が規定の閾値以上か閾値未満かを判定する。閾値未満であればキャリアなしと判断されるのでステップＳ１０（無線電源停止）に進み、無線電源制御手段１２により電力供給を遮断し、消費電流を低減する。一方、受信電波の電界強度が閾値以上であればキャリアありと判定されてステップＳ３（デジタル信号復調）に進む。
【００５１】
ここで、ステップＳ３以降の動作の大まかな流れを説明しておく。受信データが自機宛てでない場合（他機宛ての場合）は、ステップＳ３→Ｓ４→Ｓ５→Ｓ６→Ｓ１０の流れとなる。一方、受信データが自機宛てである場合（他機宛てでない場合）は、ステップＳ３→Ｓ７→Ｓ８→Ｓ９→Ｓ１０の流れとなる。
【００５２】
ステップＳ３に進むと、電波復調部２によって受信信号に対しデジタル信号復調を実施し、復調したデータを受信データバッファ４に送出する。
【００５３】
ステップＳ３の処理の次は、ステップＳ４〜Ｓ５のルーチンと、ステップＳ６のルーチンと、ステップＳ７〜Ｓ９のルーチンの並行処理となる。
【００５４】
（１）まず、ステップＳ４〜Ｓ５のルーチンを説明する。
【００５５】
ステップＳ４では、フレーム同期境界検出手段２１によってフレーム境界の検出を試みる。すなわち、データＤ，Ｄ* におけるビット同期パターンＰ１（Ｑ１）とフレームパターンＰ２（Ｑ２）の境界の検出を試みる。フレーム境界が検出されないときはステップＳ３に戻る。フレーム境界が検出されたときは、ステップＳ５に進む。
【００５６】
次いでステップＳ５において、フレーム同期境界検出手段２１はデータＤ* から他機宛てパターンを取得し、取得した他機宛てパターンを他機宛てパターン設定手段２５に送出する。他機宛てパターンは、受信データＤ* においてビット同期パターンＱ１を除くデータパターン部分である。他機宛てパターン設定手段２５は、フレーム同期境界検出手段２１から受け取った他機宛てパターンを保持する。さらに、その他機宛てパターンを他機宛てパターンバッファ２２へ転送し、その上でステップＳ３に戻る。なお、他機宛てパターン設定手段２５に複数の他機宛てパターンが保持されているときは、適当なものが選択されて他機宛てパターンバッファ２２に転送される。
【００５７】
（２）次に、ステップＳ６のルーチンを説明する。
【００５８】
ステップＳ６では、他機宛てパターン判定手段２４において、他機宛てパターン比較手段２３は、受信データバッファ４に一時的に保持されている受信データＤ* のフレームパターンを他機宛てパターンバッファ２２における選択された他機宛てパターンと比較する。このとき、他機宛てパターン設定手段２５で選択されるパターンはフレーム同期境界検出手段２１から受け取ったものである。双方のパターンが不一致のときはステップＳ３に戻る。一方、双方のパターンが一致したときは、その旨を無線電源制御手段１２に伝え、ステップＳ１０（無線電源停止）に進む。ステップＳ１０では、無線電源制御手段１２により電力供給を遮断し、消費電流を低減する。
【００５９】
ここで説明したステップＳ４、ステップＳ５、ステップＳ６、ステップＳ１０の一連の流れが本実施例におけるポイントとなっている。
【００６０】
（３）次に、ステップＳ７〜Ｓ９のルーチンを説明する。
【００６１】
ステップＳ７では、自機宛てパターン比較手段６により、受信データバッファ４のデータにおけるフレームパターンを自機宛てパターンバッファ５のあらかじめ規定された自機宛てフレームパターンと比較する。双方のパターンが不一致のときはステップＳ３に戻る。一方、双方のパターンが一致したときは、ステップＳ８に進む。
【００６２】
次いでステップＳ８において、データ受信を開始する。すなわち、パターン一致の通知を受けた無線通信機能制御部８は、確定受信データ転送手段７を起動して、受信データバッファ４から一致以降のデータを無線受信データ処理手段１０へ転送する。規定のデータが受信し終えるとステップＳ９に進む。
【００６３】
次いでステップＳ９において、データ受信完了の処理を実施し、その後、ステップＳ１０に進んで無線電源制御手段１２へ通知し、電力供給を遮断する（無線電源停止）。
【００６４】
上記において、ステップＳ４、ステップＳ６およびステップＳ７で処理結果が否定的となるときは、再度、ステップＳ３のデジタル信号復調の処理へ戻るが、以降は、次のビットを受信後に再度同じ動作を繰り返す。
【００６５】
図５は本実施例の無線受信機の動作を説明するタイミングチャートである。
【００６６】
無線受信機１００は、キャリアあり判定となった直後から、フレームパターンを用いて自機宛ての送信データかどうかを判断する。このフレームパターンは前述のとおり各システムにユニークなものであり、自機宛てのフレームパターン（Ｐ２)は事前に把握しているため、Ｒ１のように規定のデータＰ３を受信すると、その受信動作を停止する（図４のステップＳ７→Ｓ８→Ｓ９→Ｓ１０の動作）。
【００６７】
しかしながら、異なるシステムのフレームパターン(Ｑ２)は不明なため、自機宛かどうかはいつまでたっても判断することはできず、Ｒ２のようにデータＤ* （Ｑ３）が送信完了になっても、規定のタイムアウト時間が経過しなければ受信処理動作を停止することができない。
【００６８】
そこで本実施例では、キャリアセンス有りと判断した直後から受信データバッファ４のデータをフレーム同期境界検出手段２１へ送出することでステップＳ４のフレーム境界検出動作を実施し、ビット同期パターンとフレームパターンの境界を検出する。境界の検出に続いて、ステップＳ５の他機宛てパターン取得を実施し、検出後の他機宛てパターンを他機宛てパターン設定手段２５へ送出する。これにより、Ｒ２でデータＤ* についてキャリアセンス有りと判定し、フレームパターンの比較を開始しながら、データＤ* のフレームパターンＱ２を動的に取得することが可能となる。フレームパターンＱ２を他機宛てパターンとして使用することにより、Ｒ３では再びデータＤ* についてキャリアセンス有りと判定しても、他機宛てパターン判定手段２４によって他機宛てと判定されることで、素早く自機宛ではないと判定され、無線電源の給電停止によって消費電流を削減することができる（図４のステップＳ６→Ｓ１０の動作）。
【００６９】
フレーム同期境界検出手段２１が境界を検出する方法としては、例えばビット同期パターンが「０」、「１」を交互に繰り返すデータ（１６進数で０ｘ５５）であった場合は、「１１」となったときを検出し、ビット同期パターンが「１」、「０」を交互に繰り返すデータ（１６進数で０ｘＡＡ）であった場合は「００」となったときを検出すればよい。
【００７０】
ビット同期パターンが０ｘ５５を繰り返すパターンである場合のビット同期パターンとフレームパターンの境界付近では、「・・・０１０１０１１１１００１１０・・・」となり、初めて「１１」となった箇所が境界であり、そのうち２つめの「１」を含むデータがフレームパターンのデータとなる。自機宛ての信号の場合、フレーム一致するためのビット数はあらかじめ把握しているため、そのビット数のデータを受信し、それが一致フレームパターンでないときは、他機宛てパターン設定手段２５へ送出する。上記の場合の他機宛てパターンは「１１１００１１０・・・」である。
【００７１】
実際には、データＤ* のフレームパターンは「０１１１１００１１０・・・」、「１０１１１１００１１０」など、ビット同期パターンと同様な「０１」が含まれることが考えられる。しかし、いかなる場合であっても、他機宛てパターン「１１１００１１０・・・」は他機宛てパターンとして使用するため、どちらの場合も他機宛てパターンとして判定されることになり、問題はない。
【００７２】
なお、他機宛てパターン設定手段２５ではフレーム同期境界検出手段２１から送出された他機宛てパターンを集計し、他機宛てパターンバッファ２２へは不一致検出の可能性が最も高いものを設定する。このようにすることで、消費電流削減の効果をより大きくすることができる。不一致検出の可能性が最も高いものとは、例えば同じ他機宛てパターンを何度も集計した場合や、ある時間帯にのみ発生するフレームパターンがある等考えられる。
【００７３】
また、本発明は無線受信機で効果を発揮することができ、従来の送信機であったとしてもフレームパターンは必ず存在するため、本発明の効果を得ることができる。
【００７４】
以上では、１台の送信機と複数台の受信機で構築されたシステムにおいて、送信機が送信する他の無線受信機宛てのデータを誤って受信開始した場合で説明した。
【００７５】
しかし当然ながら、複数台の送信機と複数台の受信機で構築されたシステムにおいて、送信機が送信するほかの無線受信機宛てのデータを誤って受信開始した場合も、上記同様に実現されるのは言うまでもない。
【００７６】
また、１台の送信機と複数台の受信機で構築されたシステムにおいて、それとは別のシステムの送信機から送信する他のシステムの無線受信機宛てのデータを誤って受信開始した場合も、上記同様に実現される。
【００７７】
また、複数台の送信機と複数台の受信機で構築されたシステムにおいて、それとは別のシステムの送信機から送信するほかのシステムの無線受信機宛てのデータを誤って受信開始した場合も、上記同様に実現される。
【００７８】
これらにより、動的に他機宛てパターンを取得し、さらに他機宛てパターンを比較することで、所期目的が達成される。
【００７９】
（実施例２）
図６は本発明の実施例２におけるワイヤレス住宅警報機システムの構成を示すブロック図である。
【００８０】
ワイヤレス住宅警報機システム３００は、制御用マイクロコンピュータ３１、センサ３２、警報機３３、無線送信機２００、さらに無線受信機１００から構成される。このワイヤレス住宅警報機システム３００は、制御用マイクロコンピュータ３１によって制御される。センサ３２は火災発生時に火（熱）や煙を感知し、その情報は制御用マイコン３１を介して警報機３３および無線送信機２００へと伝えられる。無線送信機２００は火災発生情報を受理すると無線通信機能により住宅内にある他の複数のワイヤレス住宅警報機システムに火災発生情報を伝える。それと同時に警報機３３よりユーザに対し警報を発する。各ワイヤレス住宅警報機システム３００は常に受信待ち状態であり、他のワイヤレス住宅警報機システムより発せられた火災発生情報を受信すると、自身の警報機３３より警報を発する。
【００８１】
常に受信待ち状態であるため、ワイヤレス住宅警報機システム以外の異なるシステムや、ワイヤレス住宅警報機システムであっても、他の住宅に設置しているワイヤレス住宅警報機システムなど、異なるシステムがデータを送信すると、誤センスにより受信を開始してしまう可能性がある。
【００８２】
しかし、本発明を適用することにより、一度、他機宛てパターンと判定してしまえば、以後異なるシステムと判定することが可能となる。そのため受信処理動作を素早く停止することが可能となり、異なるシステムと無線にて情報共有できるシステムを容易に開発できる。
【００８３】
また、上記システムは、電池駆動が一般的であり、電池残量が少なくなると警報動作に支障をきたすだけでなく、連動する他の警報機への無線通信ができず、被害を拡大させる可能性がある。そのため本発明を使用することにより、長期間の電池寿命を満足するワイヤレス住宅警報機システムを実現することが可能となる。
【００８４】
また、図７で示すように、図６のワイヤレス住宅警報機システム３００における制御用マイクロコンピュータ３１、無線受信機１００、無線送信機２００を包括し、本発明を適用した無線通信機能を有する制御用マイクロコンピュータ２５０を使用したとしても、同様の効果を得ることが可能である。火災や煙を感知したワイヤレス住宅警報機システム３５０は住宅内にある複数のワイヤレス住宅警報機システムへ無線通信機能を有する制御用マイクロコンピュータ２５０の無線送信機能を用いて火災発生情報を通知するとともに、警報機３３よりユーザに対し警報を発する。火災発生源以外のワイヤレス住宅警報機システム３５０は火災発生源のワイヤレス住宅警報機システムから発せられた無線通信機能を有する制御用マイクロコンピュータ２５０で受信すると、自身の警報機３３より警報を発する。
【００８５】
以上、説明したようにこの実施例により、動的に他のシステムのフレームパターン認識し、他機宛てパターンとして取得することが可能となり、さらに他機宛てパターンを比較することで、所期の目的が達成される。
【００８６】
また、他のシステム以外でも、同じワイヤレス住宅警報機システム内でも特定の機器間で通信を行うこともある。例えば、機器登録通信に本発明を適用することにより、自機宛ではない機器登録通信を他機宛てパターンとして取得することができ、他機宛てパターンを比較することで所期の目的が達成される。
【００８７】
実施例２では、１台の送信機と複数台の受信機から構成されるワイヤレス住宅警報機システムで実施した例で説明した。しかし当然ながら、１台の送信機と１台の受信機、複数台の送信機と複数台の受信機から構成されるワイヤレス住宅警報機システムでも実施できることはいうまでもない。
【００８８】
また、ワイヤレス住宅警報機システムに限らず、１台の送信機と１台の受信機から構成される電気、ガスあるいは水道等の自動検針システム、１台の送信機と１台の受信機から構成される車のキーレスエントリーシステムであっても、同様に実現可能である。
【００８９】
なお、１台の送信機と１台の受信機から構成される電気、ガスあるいは水道等の自動検針システムに関しては当然ながら、１台の送信機と複数台の受信機、複数台の送信機と１台の受信機、複数台の送信機と複数台の受信機で構成される電気、ガスあるいは水道等の自動検針システムでも実施できることはいうまでもない。
【産業上の利用可能性】
【００９０】
本発明にかかわる無線受信起動制御装置は、低消費電力化が図られるので特に電池駆動の無線通信機器に有用である。また、省電力化が不可欠なシステム、例えばワイヤレス住宅警報機システムに有用である。
【符号の説明】
【００９１】
Ｅ１０  他機宛てパターン判定手段
Ｅ１１  他機宛てパターン抽出手段
Ｅ１２  他機宛てパターン設定手段
Ｅ２０  無線電源制御手段
２１    フレーム同期境界検出手段
２２    他機宛てパターンバッファ
２３    他機宛てパターン比較手段
２４    他機宛てパターン判定手段
２５    他機宛てパターン設定手段
１００  無線受信機
【図１】
2011199803.tif 000003
【図２】
2011199803.tif 000004
【図３】
2011199803.tif 000005
【図４】
2011199803.tif 000006
【図５】
2011199803.tif 000007
【図６】
2011199803.tif 000008
【図７】
2011199803.tif 000009
【図８】
2011199803.tif 000010